(57)【要約】  本開示は、基板処理中の温度感知および制御のための方法および装置に関する。直接測定することが困難である処理中の基板温度は、堆積した膜特性の検査によって、または基板ヒーティング装置の経時的な電力出力の変化を測定することによって決定され得る。温度は、処理中に多くの基板について決定され、基板温度が経時的にどのように変化するかを示し、次いで、温度変化は機械学習法を介してモデルを構築するために使用される。モデルは、将来の処理工程でヒーティング装置の設定値を調整するために使用される。【選択図】図３
2021524670.tif 000002
【特許請求の範囲】
【請求項１】
処理チャンバ内の複数の基板に対して複数の基板処理工程を実行することであって、前記複数の基板の１つは、前記複数の基板処理工程の各々の間に処理される、複数の基板処理工程を実行すること、
前記複数の基板処理工程中の前記複数の基板の各々の基板温度変化を決定すること、
測定された処理変数を、前記複数の基板の各々の前記基板温度に基づいて基板温度変化モデルに入力することであって、前記基板温度変化モデルは、
2021524670.tif 000006
を含み、ここで、Ｗ１は第１の基板の第１の基板カウント数であり、Ｗ２は第１の基板の第２の基板カウント数であり、ΔＴｉおよびΔＴｏはそれぞれＷ１からＷ２までの内側ゾーンおよび外側ゾーンの温度の全変化であり、ｄＴｉ／ｄＷおよびｄＴｏ／ｄＷは、それぞれ内側ゾーン温度および外側ゾーン温度の変化率である、処理変数を入力すること、および、
前記基板温度変化モデルの出力に応答して、前記処理チャンバの基板支持体内のヒータ装置の一または複数の温度または電力設定点を制御すること、
を含む、方法。
【請求項２】
前記複数の基板の各々の基板温度を決定することは、
前記複数の基板処理工程中に前記複数の基板の各々に堆積した膜の温度依存性膜特性を測定すること、および、
前記温度依存性膜特性に基づいて、前記複数の基板の各々の前記基板温度を決定すること、
をさらに含む、請求項１に記載の方法。
【請求項３】
前記温度依存性膜特性が光吸収係数である、請求項２に記載の方法。
【請求項４】
前記複数の基板の各々の基板温度を決定することは、
前記複数の基板処理工程の各々の間の複数のタイムインターバルの各々の間に、前記ヒータ装置の電力出力を測定すること、および、
前記複数のタイムインターバルの各々の間の前記電力出力に基づいて、前記複数の基板の各々の前記基板温度を決定すること、
をさらに含む、請求項１に記載の方法。
【請求項５】
前記電力出力は、電力計を使用して測定される、請求項４に記載の方法。
【請求項６】
処理チャンバ内の複数の基板に対して複数の基板処理工程を実行することであって、前記複数の基板の１つは、前記複数の基板処理工程の各々の間に処理される、複数の基板処理工程を実行すること、
前記複数の基板処理工程中に前記複数の基板の各々の内側ゾーンの温度を決定すること、
前記複数の基板処理工程中に前記複数の基板の各々の外側ゾーンの温度を決定すること、
前記複数の基板の各々の前記内側ゾーンの前記温度に基づいて内側ゾーン温度モデルを決定すること、
前記複数の基板の各々の前記外側ゾーンの前記温度に基づいて外側ゾーン温度モデルを決定すること、
前記内側ゾーン温度モデルに基づいて、前記処理チャンバの基板支持体内のヒータ装置の内側ゾーン設定点を制御すること、および、
前記外側ゾーン温度モデルに基づいて、前記処理チャンバの前記基板支持体内の前記ヒータ装置の外側ゾーン設定点を制御すること、
を含む、方法。
【請求項７】
前記複数の基板の各々の内側ゾーン温度を決定することは、
前記複数の基板処理工程中に前記複数の基板の各々に堆積した膜の前記基板の前記内側ゾーンにおける温度依存性膜特性を測定すること、および、
前記温度依存性膜特性に基づいて、前記複数の基板の各々の前記内側ゾーン温度を決定すること、
をさらに含む、請求項６に記載の方法。
【請求項８】
前記複数の基板の各々の外側ゾーン温度を決定することは、
前記複数の基板処理工程中に前記複数の基板の各々に堆積した膜の前記基板の前記外側ゾーンにおける温度依存性膜特性を測定すること、および、
前記温度依存性膜特性に基づいて、前記複数の基板の各々の前記外側ゾーン温度を決定すること、
をさらに含む、請求項６に記載の方法。
【請求項９】
前記温度依存性膜特性が光吸収係数である、請求項７に記載の方法。
【請求項１０】
前記温度依存性膜特性が光吸収係数である、請求項８に記載の方法。
【請求項１１】
前記複数の基板の各々の内側ゾーン温度を決定することは、
前記複数の基板処理工程の各々の間の複数のタイムインターバルの各々の間に、前記基板の前記内側ゾーンに対応する前記ヒータ装置の電力出力を測定すること、および、
前記複数のタイムインターバルの各々の間の前記電力出力に基づいて、前記複数の基板の各々の前記内側ゾーン温度を決定すること、
をさらに含む、請求項６に記載の方法。
【請求項１２】
前記複数の基板の各々の内側ゾーン温度を決定することは、
前記複数の基板処理工程の各々の間の複数のタイムインターバルの各々の間に、前記基板の前記内側ゾーンに対応する前記ヒータ装置の電力出力を測定すること、および、
前記複数のタイムインターバルの各々の間の前記電力出力に基づいて、前記複数の基板の各々の前記内側ゾーン温度を決定すること、
をさらに含む、請求項６に記載の方法。
【請求項１３】
前記電力出力は、電力計を使用して測定される、請求項１１に記載の方法。
【請求項１４】
前記電力出力は、電力計を使用して測定される、請求項１２に記載の方法。
【請求項１５】
コンピュータプログラムを内部に記憶する非一時的な機械可読記憶媒体であって、前記コンピュータプログラムは、
処理チャンバ内の複数の基板処理工程の各々の間に複数の基板の各々の基板温度に基づいて、基板温度変化モデルを決定し、
前記基板温度変化モデルに基づいて、前記処理チャンバの基板支持体のヒータ装置の設定点を制御するように構成されており、
前記基板温度モデルは、
2021524670.tif 000007
を含み、ここで、Ｗ１は第１の基板の第１の基板カウント数であり、Ｗ２は第１の基板の第２の基板カウント数であり、ΔＴｉおよびΔＴｏはそれぞれＷ１からＷ２までの内側ゾーンおよび外側ゾーンの温度の全変化であり、ｄＴｉ／ｄＷおよびｄＴｏ／ｄＷは、それぞれ内側ゾーン温度および外側ゾーン温度の変化率である、非一時的な機械可読記憶媒体。
【発明の詳細な説明】
【技術分野】
【０００１】
本開示の実施形態は、基板処理中の温度感知および制御のための方法および装置に関する。
【背景技術】
【０００２】
関連技術の記載
基板の処理において、基板は、典型的には、処理チャンバ内の基板支持体上に配置され、その間、基板の表面に堆積、エッチング、層の形成を行うため、または基板の表面を処理するため、適切な処理条件が処理チャンバ内で維持される。例えば、基板は、高温プラズマ処理環境を使用して処理することができる。多くの場合、基板温度など、処理中に基板の特性に影響を及ぼす様々な処理条件を制御することが望ましい。
【０００３】
基板のフィーチャサイズが小さくなり、高度なノードとともに処理の複雑さが増すにつれて、処理される基板の温度を目標基板温度に維持することがますます大きな関心事になっている。このような高度なプロセスでの基板の処理は、処理中の温度変動に非常に敏感であり、基板の温度制御は、処理中に温度ドリフトをほとんど示さないプロセスを達成するために利用される。加えて、処理チャンバ構成要素の熱特性は、処理チャンバ構成要素が老朽化するにつれて経時的に変化し、最終的には交換され、正確な温度制御の維持をさらに困難にする。さらに、基板温度の直接測定は、特にプラズマベースの処理では困難である。
【０００４】
したがって、当技術分野で必要とされるのは、処理中に基板温度を制御するための方法および装置である。
【発明の概要】
【０００５】
一実施形態では、方法が提供される。本方法は、処理チャンバ内の複数の基板に対して複数の基板処理工程を実行することを含み、複数の基板の１つは、複数の基板処理工程の各々の間に処理される。本方法はまた、複数の基板処理工程中に複数の基板の各々の基板温度変化を決定することと、複数の基板の各々の基板温度に基づいて、測定されたプロセス変数を基板温度変化モデルに入力することとを含み、基板温度変化モデルは次のようになる。
2021524670.tif 000003
ここで、Ｗ１は第１の基板の第１の基板カウント数、Ｗ２は第１の基板の第２の基板カウント数であり、ΔＴｉおよびΔＴｏはそれぞれＷ１からＷ２までの内側ゾーンおよび外側ゾーンの温度の全変化であり、ｄＴｉ／ｄＷおよびｄＴｏ／ｄＷはそれぞれ内側ゾーン温度および外側ゾーン温度の変化率である。この方法は、基板温度変化モデルの出力に応答して、処理チャンバの基板支持体内のヒータ装置の温度または電力設定値のうちの一または複数を制御することをさらに含む。
【０００６】
別の実施形態でも、方法が提供される。本方法は、処理チャンバ内の複数の基板に対して複数の基板処理工程を実行することであって、複数の基板の１つは、複数の基板処理工程の各々の間に処理される、複数の基板処理工程を実行することと、複数の基板処理工程の間に、複数の基板の各々の内側ゾーンの温度を決定することと、複数の基板処理工程の間に、複数の基板の各々の外側ゾーンの温度を決定することと、を含む。この方法は、さらに、複数の基板の各々の内側ゾーンの温度に基づいて内側ゾーン温度モデルを決定することと、複数の基板の各々の外側ゾーンの温度に基づいて外側ゾーン温度モデルを決定することと、内側ゾーン温度モデルに基づいて、処理チャンバの基板支持体内のヒータ装置の内側ゾーン設定値を制御することと、外側ゾーン温度モデルに基づいて、処理チャンバの基板支持体内のヒータ装置の外側ゾーン設定値を制御することと、を含む。
【０００７】
別の実施形態では、非一時的な機械可読記憶媒体が提供される。媒体は、そこに記憶されたコンピュータプログラムを有する。コンピュータプログラムは、処理チャンバ内の複数の基板処理工程の各々の間に、複数の基板の各々の基板温度に基づいて、基板温度変化モデルを決定し、基板温度モデルに基づいて、処理チャンバの基板支持体内のヒータ装置の設定値を制御するように構成されており、基板温度変化モデルは次のようになる。
2021524670.tif 000004
ここで、Ｗ１は第１の基板の第１の基板カウント数、Ｗ２は第１の基板の第２の基板カウント数であり、ΔＴｉおよびΔＴｏはそれぞれＷ１からＷ２までの内側ゾーンおよび外側ゾーンの温度の全変化であり、ｄＴｉ／ｄＷおよびｄＴｏ／ｄＷはそれぞれ内側ゾーン温度および外側ゾーン温度の変化率である。
【０００８】
上述した本開示の特徴を詳しく理解しうるように、上記で簡単に要約した本開示のより詳細な説明が、本開示の態様を参照することによって得られる。かかる態様の一部を、添付の図面に示す。しかしながら、本開示は、他の同等に有効な態様も許容し得るため、添付の図面は、本開示の典型的な態様のみを示しており、したがって、本開示の範囲を限定すると見なすべきではないことに留意されたい。
【図面の簡単な説明】
【０００９】
【図１】一実施形態による処理チャンバの概略断面図を示す。
【図２】一実施形態による方法のフロー図を示す。
【図３】一実施形態による方法のフロー図を示す。
【図４Ａ】一実施形態による、メンテナンス実施以降の基板カウント数に対する基板上に堆積した膜の光吸収係数のプロットデータである。
【図４Ｂ】一実施形態による、メンテナンス実施以降の基板カウント数に対する基板上に堆積した膜の光吸収係数のプロットデータである。
【図５】一実施形態による、ヒータ装置を備えた基板支持体の断面概略図を示す。
【図６】連続する各基板について、メンテナンス実施以降の基板カウント数に対する温度変化のプロットデータである。
【発明を実施するための形態】
【００１０】
理解を容易にするため、可能な場合には、上記の図に共通する同一の要素を示すために同一の参照番号が使用されている。さらに、一実施例の要素を、本書に記載の他の実施例で利用するために有利に適合させてもよい。
【００１１】
本開示は、基板処理中の基板温度感知および制御のための方法および装置に関する。処理中の基板温度は、特に高温（例えば、約６００℃を超える）真空プラズマ処理工程では、直接測定することがしばしば困難であるが、堆積膜特性の検査によって、または基板ヒーティング装置の経時的な電力出力の変化を測定することによって決定されてもよい。処理中に多くの基板に対して温度が決定され、基板温度が経時的にどのように変化するかを示し、その温度変化は機械学習法を介してモデルを構築するために使用される。モデルは、将来の処理工程でヒーティング装置の設定値を調整するために使用される。
【００１２】
ヒータ装置の温度は基板温度と同じでなくてもよいことに留意されたい。プラズマの有無にかかわらず、基板温度の測定は、プラズマエネルギーのさらなる供給源が基板に曝露されたときには、誤解を招く恐れのある基板温度のデータを生成することがある。さらに、処理チャンバが長い間に経年劣化するにつれて、基板とチャンバとの間の熱伝導が変化するため、所定のヒータ設定点を維持しても、基板温度が所望通りに維持される保証はない。そのため、本明細書に記載の実施形態は、改善された基板温度制御を提供する。
【００１３】
図１は、一実施形態による処理チャンバ１００の概略断面図である。処理チャンバ１００は、基板１５４などの基板に化学気相堆積（ＣＶＤ）膜を堆積させるのに適したプラズマ強化化学気相堆積（ＰＥＣＶＤ）チャンバであってもよい。本明細書に記載のように利益をもたらすように適合され得る処理チャンバの例には、カリフォルニア州サンタクララにあるＡｐｐｌｉｅｄ  Ｍａｔｅｒｉａｌｓ，  Ｉｎｃ．から市販されているＰＲＯＤＵＣＥＲ（登録商標）ＣＶＤ処理装置およびＰＲＥＣＩＳＩＯＮ（商標）処理装置がある。他の製造業者のもの、またはガラス基板などの基板のＰＥＣＶＤなど、他の用途のものを含め、他の適切に構成された処理チャンバも、本明細書に記載の実施形態に従って使用することができる。
【００１４】
処理チャンバ１００は、堆積および除去処理を含む様々なプラズマ処理に使用することができる。一態様では、処理チャンバ１００は、高周波（ＲＦ）電源の有無にかかわらず、一または複数の前駆体ガスを使用してＣＶＤを実行するために使用される。別の実施形態では、処理チャンバ１００は、プラズマ強化化学気相堆積（ＰＥＣＶＤ）処理に使用されてもよい。
【００１５】
処理チャンバ１００は、チャンバ本体１０２、リッドアセンブリ１０６、および支持アセンブリ１０４を含む。リッドアセンブリ１０６は、チャンバ本体１０２の上端に位置する。基板支持アセンブリ１０４は、チャンバ本体１０２の内部に配置され、リッドアセンブリ１０６は、チャンバ本体１０２に連結され、処理空間（ｐｒｏｃｅｓｓｉｎｇ  ｖｏｌｕｍｅ）１２０の基板支持アセンブリ１０４を囲む。チャンバ本体１０２は、その側壁に形成されたスリットバルブ開口部１２６を含む。スリットバルブ開口部１２６は、基板移送のための基板ハンドリングロボット（図示せず）による処理空間１２０へのアクセスを可能にするために、選択的に開閉される。処理空間１２０と流体連通する排出ポート１５２が、チャンバ本体１０２を通って延在することが示されている。
【００１６】
上部電極１０８は、チャンバ本体１０２に隣接して配置され、チャンバ本体１０２をリッドアセンブリ１０６の他の構成要素から分離している。上部電極１０８は、リッドアセンブリ１０６の一部であってもよく、または、別個の側壁電極であってもよい。
【００１７】
絶縁体１１０は、セラミックまたは金属酸化物、例えば酸化アルミニウムおよび／または窒化アルミニウムなどの誘電体材料であってもよく、上部電極１０８に接触し、電極１０８をガス分配器１１２およびチャンバ本体１０２から、電気的および熱的に分離する。ガス分配器１１２は、処理ガスを処理空間１２０に進入可能にするための開口部１１８を有する。処理ガスは、導管１１４を介して、処理チャンバ１００に供給され、処理ガスは、開口部１１８を通って流れる前に、ガス混合領域１１６に入る。ガス分配器１１２は、ＲＦ発生器などの電力源１４２に連結される。一実施形態では、処理空間１２０内にプラズマを形成するため、パルスＲＦ電力が利用される。他の実施形態では、処理空間１２０内にプラズマを形成するため、ＤＣ電力またはパルスＤＣ電力が利用される。
【００１８】
基板支持アセンブリ１０４は、その上端に配置される基板支持面１８０を含む。基板支持アセンブリ１０４は、金属またはセラミック材料、例えば、アルミニウム、酸化アルミニウム、窒化アルミニウム、または酸化アルミニウム／窒化アルミニウム混合物などの、金属酸化物若しくは窒化物または酸化物／窒化物混合物から形成される。基板支持面１８０は、処理中に基板１５４を支持するように構成される。基板支持面１８０は、チャンバ本体１０２の底面を通って延在するシャフト１４４を介してリフト機構に連結されている。リフト機構は、シャフト１４４の周囲からの真空漏れを防止するベローズによって、チャンバ本体１０２に折り曲げ可能に密封される。リフト機構は、基板支持面１８０を、チャンバ本体１０２内で、より低い移送位置と、一または複数の高くなった処理位置との間で、垂直方向に移動させることを可能にする。
【００１９】
静電チャック（ＥＳＣ）１６０は、基板支持アセンブリ１０４内に配置される。静電チャック１６０は、一または複数の電極１６２および誘電体材料１６４を含む。いくつかの実施形態では、静電チャック１６０の誘電体材料１６４は、基板支持面１８０を形成する。図１では４つの電極１６２が破線で示されているが、本明細書で説明する実施形態によれば、より多くの、またはより少ない数の電極１６２を利用できるように企図される。誘電体材料１６４は、静電チャックと共に使用するのに適した誘電体材料である。静電チャック１６０の実施形態では、誘電体材料１６４は、酸化アルミニウム、窒化アルミニウム、または酸化アルミニウム／窒化アルミニウム混合物などの酸化物および／または窒化物材料を含む。
【００２０】
一実施形態では、電極１６２は、誘電体材料１６４内に埋め込まれる。別の実施形態では、電極１６２は、基板支持アセンブリ１０４内に埋め込まれるか、または基板支持アセンブリ１０４の表面に連結される。一または複数の電極１６２は、プレート、有孔プレート、メッシュ、ワイヤスクリーン、または任意の他の分散構成体であってもよい。一または複数の電極１６２は、電極制御線１６８を介して電極電源１６６に連結され、電極１６２に電力を供給し、基板１５４の処理中に基板１５４のチャッキングを容易にする。
【００２１】
電極電源１６６で電極１６２に電力を供給すると、基板１５４を基板支持アセンブリ１０４の基板支持面１８０に固定するように、電極１６２と基板支持面１８０に向かって基板１５４を引き付けるための電界が発生する。電極電源１６６は、電極１６２にＤＣ電圧を印加することができる。漏れ電流センサ１７８は、基板１５４と電極１６２との間を流れる漏れ電流を測定するため、電極電源１６６を介して電極１６２に連結される。いくつかの実施形態では、漏れ電流センサ１７８は、電極制御線１６８に直接連結される。
【００２２】
いくつかの実施形態では、基板支持アセンブリ１０４は、基板１５４の処理中にプラズマを生成するために上部電極１０８と組み合わせて使用するための追加の電極１６２を含む。プラズマを生成するために、基板支持アセンブリ１０４内または基板支持アセンブリ１０４に近接して配置された上部電極１０８および追加の電極１６２を使用することは、様々な実施形態を有し得る。さらに、基板１５４の処理中にプラズマを生成するために、一または複数の電極１６２を上部電極１０８と組み合わせて使用することができる。
【００２３】
いくつかの実施形態では、電極電源１６６は、例えば、約１３．５６ＭＨｚの周波数で最大約１０００Ｗ（但し、約１０００Ｗに限定されない）のＲＦエネルギーを供給するが、用途に応じて他の周波数および電力を供給することもできる。電極電源１６６は、連続電力またはパルス電力のいずれかまたは両方を生成することができる。いくつかの態様では、バイアス源は、ＤＣまたはパルスＤＣ源であってもよい。いくつかの態様では、バイアス源は、１３．５６ＭＨｚと２ＭＨｚなど、複数の周波数を提供することができる。
【００２４】
基板支持アセンブリ１０４は、内部に配置されたヒータ装置１７０をさらに含む。ヒータ装置１７０は、基板１５４を加熱するために使用されるが、基板１５４の処理中に処理チャンバ１００の処理空間１２０を付随的に加熱し得る。ヒータ装置１７０は、ヒータ制御線１７４を介してヒータ電源１７２に連結される。ヒータ装置１７０は、熱を出力するヒータ素子１７６を含む。一実施形態では、ヒータ素子１７２は抵抗ヒータである。基板支持アセンブリ１０４内の導管（図示せず）は、ヒータ装置１７０と基板支持面１８０と処理空間１２０との間に経路を提供し、基板１５４への熱の印加を容易にする。いくつかの実施形態では、基板１５４を処理するための処理工程中に基板１５４を加熱するため、ヒータ装置１７０は基板支持アセンブリ１０４の外部および処理空間１２０の近傍に配置される。この実施形態では、ヒータ装置１７０は、リッドアセンブリ１０６内に配置される。
【００２５】
ヒータ温度センサ１８２は、ヒータ装置１７０の温度を決定するために使用される。ヒータ温度センサ１８２は、ヒータ装置１７０の温度を決定するため、熱電対を利用する。ヒータ温度センサ１８２は、サーミスタおよび格子振動センサを含む、ヒータ装置１７０の温度を測定するために使用される他のセンサの形態であってもよい。ヒータ温度センサ１８２は、センサ制御線１８４によってシステムコントローラ１８６に連結される。システムコントローラ１８６は、ヒータ装置１７０の温度を制御するため、ヒータ電源１７２に連結される。システムコントローラ１８６は、ヒータ装置１７０の温度を調整および制御するため、ヒータ装置１７０のパラメータを調整する。
【００２６】
一実施例では、システムコントローラ１８６は、ソフトウェアを記憶するためのメモリを含む汎用コンピュータである。別の実施例では、システムコントローラ１８６は、一または複数の基板処理工程のソフトウェア実装制御を容易にするように構成された特別なコンピュータである。ソフトウェアは、処理中に基板１５４の温度を制御するため、ヒータ装置１７０の温度を含む、処理チャンバ１００を制御するための命令を含む。
【００２７】
時間が経過し、より多くの基板１５４が処理チャンバ１００内で処理されるにつれて、ヒータ装置１７０の設定点が固定されたままであるにもかかわらず、処理中に基板温度が変化することがある。基板温度のこの変動は、基板１５４への様々な熱の入出力に起因し得る。例えば、処理チャンバ１００の放射境界条件は、処理空間１２０を囲む構成要素を含む、処理チャンバ１００内の構成要素の表面上のコーティングまたは構成要素の経年劣化によって変化し得る。
【００２８】
処理チャンバ１００内のチャンバ構成要素の表面は、処理中に堆積物によってコーティングされ得る。コーティングは、処理サイクルにおける各追加の処理実行に対して漸増的に増加し得る。各処理実行中に処理チャンバ１００内のコーティングが徐々に増加すると、処理チャンバ１００の工程に変化が起こることがある。例えば、所与のヒータ設定点は、コーティングが厚くなるにつれて異なる基板温度をもたらす可能性がある。
【００２９】
基板温度は、様々な要因によって影響され得る。プラズマ電力は、処理工程中に熱エネルギーを基板１５４に供給するために熱源を追加し得る。さらに、処理チャンバ１００内の特定の構成要素は、プラズマ結合および様々なチャンバ構成要素の放射率の変化を含む様々な理由により、異なる温度で動作することがある。異なる条件は、しばしば、処理工程中に、基板１５４への入熱および選択されたヒータ温度設定点での基板温度の変動をもたらす。
【００３０】
図２は、一実施形態による、基板温度変化を予測し、ヒータ装置の設定点を調整する方法２００のフロー図を示す。工程２０１において、方法２００は、処理チャンバ内の複数の基板に対して複数の基板処理工程を実行することを含み、複数の基板の１つは、複数の基板処理工程の各々の間に処理される。工程２０２では、関連付けられた基板処理工程の間、複数の基板の各々について基板温度が決定される。工程２０３では、決定された基板温度は、基板温度変化モデルを作成するために使用される。工程２０４では、基板温度変化モデルは、将来の基板処理工程に対して、ヒータ装置の設定点を制御するために使用される。したがって、方法２００は、変化する処理チャンバ特性に応じて、基板の適応温度制御を可能にする。
【００３１】
図３は、一実施形態による、基板の内側ゾーンおよび外側ゾーンの温度変化を予測し、内側ゾーンおよび外側ゾーンの両方についてヒータ装置の設定点を調整する方法３００のフロー図を示す。本明細書で使用されるように、内側ゾーンは、基板の中心を含む領域を指し、外側ゾーンは、内側ゾーンを取り囲み、基板の縁部まで延在する領域を指す。例えば、直径３００ｍｍの円形の基板の場合、内側ゾーンは直径１００ｍｍの円形の領域であってもよく、外側ゾーンは、内側ゾーンの縁部から基板の縁部まで延びる環状の領域であってもよい。
【００３２】
工程３０１では、方法３００は、処理チャンバ内の複数の基板に対して複数の基板処理工程を実行することを含み、複数の基板の１つは、複数の基板処理工程の各々の間に処理される。工程３０２では、内側ゾーンの温度は、関連する基板処理工程の間、各基板に対して決定される。工程３０３では、基板の関連する基板処理工程中に、各基板について外側ゾーンの温度が決定される。工程３０４では、決定された内側ゾーンの温度は、内側ゾーンの温度モデルを作成するために使用される。工程３０５では、決定された外側ゾーンの温度は、外側ゾーンの温度モデルを作成するために使用される。工程３０６では、内側ゾーンの温度モデルは、ヒータ装置の内側ゾーンの設定値を制御するために使用される。そして、工程３０７では、外側ゾーン温度モデルは、ヒータ装置の外側ゾーンの設定値を制御するために使用される。
【００３３】
方法２００の工程２０２、方法３００の工程３０２および３０３において、温度は、いくつかの方法で決定することができる。いくつかの実施形態では、基板処理工程は、基板１５４上に膜を堆積することを含む。膜は、例えば、炭素ハードマスクであってもよい。膜の温度依存特性は測定可能であり、温度は温度依存特性に基づいて決定することができる。例えば、温度依存特性は、膜の光吸収係数（ｋ）であってもよい。図４Ａ、図４Ｂは、この関係を図示したデータ曲線で、基板温度、したがって堆積膜の光吸収係数ｋが、その後の基板処理工程にわたってどのように変動するかを示している。
【００３４】
図４Ａは、一実施形態による、メンテナンス実施以降の基板カウント数に対する基板上に堆積した膜の光吸収係数のプロットである。データ４０１および４０２は、使用された処理チャンバに、「新しい」構成要素、すなわち、基板処理工程が全く見られなかった、または少数であった構成要素が取り付けられた実験装置で測定された変数に一致している。データ４０１は、基板の内側ゾーンについての基板カウント数に対する光吸収係数ｋを示しており、データ４０２は、基板の外側ゾーンについての基板カウント数に対する光吸収係数ｋを示している。堆積膜の光吸収係数ｋは、処理中の基板温度に依存するため、データ４０１およびデータ４０２は、基板温度が連続する基板処理工程にわたって変動するだけでなく、内側ゾーンの温度が外側ゾーンの温度よりも速く変動することを示している。
【００３５】
図４Ｂは、一実施形態による、メンテナンス実施以降の基板カウント数に対する基板上に堆積した膜の光吸収係数のプロットである。データ４０３および４０４は、使用された処理チャンバに、「古い」構成要素、すなわち、多数の基板処理工程が見られる構成要素が取り付けられた実験装置で測定された変数に一致している。データ４０３は、基板の内側ゾーンについての基板カウント数に対する光吸収係数ｋを示しており、データ４０４は、基板の外側ゾーンについての基板カウント数に対する光吸収係数ｋを示している。堆積膜の光吸収係数ｋは、処理中の基板温度に依存するため、データ４０３およびデータ４０４は、基板温度が連続する基板処理工程にわたって変動するだけでなく、内側ゾーンの温度が外側ゾーンの温度よりも速く変動することを示している。
【００３６】
他の実施形態では、方法２００の工程２０２、方法３００の工程３０２および３０３における温度は、基板処理工程中のタイムインターバルに、ヒータ装置の電力出力を測定することによって決定される。この方法は、以下の図５および図６について説明される。
【００３７】
図５は、図１のヒータ装置１７０を備えた基板支持体１０４の断面概略図を示す。基板支持体１０４は基板１５４を支持し、ヒータ装置１７０は基板支持体１０４内に配置される。基板支持体１０４は、内側ゾーン５０１と外側ゾーン５０２とに分割されている。ヒータ装置１７０（抵抗ヒータとして示されている）は、ゾーンの各々に対して別々のヒータ、すなわち、内側ゾーン５０１用の内側ヒータ５１０と、外側ゾーン５０２用の外側ヒータ５２０とを含む。内側ヒータ５１０は、電力メータ５１１と、電源５１２と、抵抗加熱素子５１３とを含む。同様に、外側ヒータ５２０は、電力メータ５２１と、電源５２２と、抵抗加熱素子５２３とを含む。電源５１２および５２２は、図１に示すように、ヒータ電源１７２の一部であってもよい。内側ヒータ５１０および外側ヒータ５２０も、図１に示すコントローラ１８６に連結されているヒータ温度センサ（図示せず）に連結されている。
【００３８】
工程中、ヒータ装置１７０は、電源５１２または電源５２２の電力出力を変化させることによって、内側ゾーン５０１または外側ゾーン５０２のいずれかの温度変化に応答する。電力出力の変化は、温度変化に正比例すると考えられる。しかしながら、電源５１２および５１３の周波数（例えば、５０Ｈｚ）により、電力出力を瞬時に測定しようとすると、温度を抽出することが困難なノイズの多いデータセットとなる。
【００３９】
代わりに、電力メータ５１１および５２１は、電源５１２および５１３の循環周期（ｃｙｃｌｉｎｇ  ｐｅｒｉｏｄ）と比較して、比較的長い期間にわたって、総電力出力を記録する。例えば、５０Ｈｚ電源の場合、電力計５１１および５２１は、約１秒〜約１０分間、例えば約２分間にわたる全電力出力を測定する。このようにして、瞬間的な電力測定から温度を抽出しようとするのではなく、温度変化は、連続するタイムインターバルにわたる電力出力変化から抽出することができる。一実施形態では、電力メータ５１１および５２１は、ピークツーピーク電力変動を測定し、電力メータ５１１および５２１に通信可能に連結されたソフトウェアは、より低い周波数のデータ取得を可能にするために平均電力出力を算出する。
【００４０】
図６は、メンテナンス実施以降の基板カウント数に対する連続した各基板の温度変化のプロットである。温度を決定するために使用される方法にかかわらず、温度変化は、最後のメンテナンス実施以降の基板カウント数の関数としてプロットすることができる。図６では、ｙ軸は、摂氏温度による基板あたりの温度変化（スケールを正規化するために１００を掛けたもの）である。ｘ軸は、最後のメンテナンス実施以降の基板カウント数である。データ６０１、６０２、および６０３は、図４Ａおよび図４Ｂに関して記載したものと同様の処理の結果に一致している。データ６０１は内側ゾーンを表し、データ６０３は外側ゾーンを表し、データ６０２は基板１５４にわたる平均値を表す。図４Ａおよび図４Ｂと同様に、データ６０１および６０３は、基板温度が外側ゾーンよりも内側ゾーンにおいてより急速に変化することを示している。
【００４１】
温度が決定されると、方法２００での基板全体に対して、または方法３００での内側ゾーンおよび外側ゾーンのいずれかに対して、時間の経過に伴う温度変化が、方法２００の工程２０３、工程３００の工程３０４および３０５で、温度モデルを構築するために使用される。これらのモデルを構築する１つの方法は、機械学習技術を介するものである。例えば、温度変化データに基づいて、第１の基板Ｗ１および第２の基板Ｗ２から基板の内側ゾーンおよび外側ゾーンに対する温度変化を予測するために、以下の方程式を使用してもよい。
2021524670.tif 000005
ここで、ΔＴｉおよびΔＴｏはそれぞれＷ１からＷ２までの内側ゾーンおよび外側ゾーンの温度の全変化であり、ｄＴｉ／ｄＷおよびｄＴｏ／ｄＷは、最後のメンテナンス実施以降のウエハカウント数Ｗ当たりのそれぞれ内側ゾーン温度および外側ゾーン温度の変化率である。Ｗはソフトウェアによって追跡され、メンテナンス実施時にリセットされることに留意されたい。一実施形態では、Ｗ１は、第１の基板の第１の基板カウント数であり、Ｗ２は、第１の基板の第２の基板カウント数である。これらのモデルが構築されると、方法２００の工程２０４、方法３００の工程３０６および３０７におけるように、モデルは、将来の基板処理工程のためのヒータ装置設定点を調整するために使用され得る。
【００４２】
本明細書に記載の方法は、基板処理工程のための多くの改善を可能にする。本開示は、基板温度を間接的に決定する様々な方法を提供する。温度を決定すること、および、基板温度がチャンバおよび構成要素の寿命にわたってどのように変化するかを予測するモデルを構築することによって、基板温度が望ましい処理パラメータの範囲内に留まるのを支援するように、ヒータ設定値を調整することができる。こうすることによって、特に処理パラメータがわずか摂氏数度の範囲で影響を及ぼすときに、メンテナンスのためのダウンタイムを短縮し、デバイス品質を改善することができる。
【００４３】
以上の記述は、本開示の実施例を対象としているが、本開示の基本的な範囲から逸脱することなく、本開示の他の実施例および、さらなる実施例が考案されてよく、本開示の範囲は、下記の特許請求の範囲によって決定される。
【図１】
2021524670.tif 000008
【図２】
2021524670.tif 000009
【図３】
2021524670.tif 000010
【図４Ａ】
2021524670.tif 000011
【図４Ｂ】
2021524670.tif 000012
【図５】
2021524670.tif 000013
【図６】
2021524670.tif 000014
【国際調査報告】
2021524670.tif 000015
2021524670.tif 000016
2021524670.tif 000017